(57)【要約】【課題】  本発明の目的は点火用コンデンサの充電を効率的に行なう。【解決手段】  充電周期に基づいて電源電圧を予め昇圧して点火用コンデンサに充電し、所定の点火タイミングで点火用コンデンサからの昇圧電圧を点火コイルの一次側に供給し、二次側に接続された点火プラグに放電を発生させる内燃機関点火装置であり、電源からの電圧が一次側に印加され、二次側から昇圧電圧をコンデンサへ供給する第1昇圧コイルと、第1昇圧コイルと並列に接続されており、電源からの電圧が一次側に印加され、その昇圧電圧をコンデンサへ供給する第２昇圧コイルと、第1昇圧コイルの一次側へ印加する電源からの電圧を、充電周期に基づいてＯＮ／ＯＦＦ制御する第1スイッチ部と、第２昇圧コイルの一次側へ印加する電源からの電圧を、ＯＮ／ＯＦＦ制御する第２スイッチ部と、充電周期の反転周期に基づいて第２のスイッチを制御する第２スイッチ制御部とを備える。【選択図】      図１
2009013919.tif 000002
【特許請求の範囲】
【請求項１】
所定の充電周期に基づいて電源からの電圧を予め昇圧してコンデンサに充電し、所定の点火タイミングによって前記コンデンサからの昇圧電圧を点火コイルの一次側に供給して、二次側に接続された点火プラグに放電を発生させる内燃機関点火装置において、
前記電源からの電圧が一次側に印加され、二次側から前記昇圧電圧を前記コンデンサへ供給する第1昇圧コイルと、
前記第1昇圧コイルと並列に接続されており、前記電源からの電圧が一次側に印加され、二次側から前記昇圧電圧を前記コンデンサへ供給する第２昇圧コイルと、
前記第1昇圧コイルの一次側へ印加する前記電源からの電圧を、前記充電周期に基づいてＯＮ／ＯＦＦ制御する第1スイッチ部と、
前記第２昇圧コイルの一次側へ印加する前記電源からの電圧を、ＯＮ／ＯＦＦ制御する第２スイッチ部と、
前記充電周期の反転周期に基づいて前記第２のスイッチを制御する第２スイッチ制御部とを備えることを特徴とする内燃機関点火装置。
【請求項２】
前記充電周期はパルスでもって規定されており、当該パルスを生成するパルス生成部を備えることを特徴とする請求項１記載の内燃機関点火装置。
【請求項３】
前記コンデンサの充電状態が閾値を超えると、パルス生成を停止せしめるパルス停止部を備えることを特徴とする請求項基板２記載の内燃機関点火装置。
【請求項４】
前記第1スイッチ部および前記第２スイッチ部は、前記パルスのＨｉ状態又はＬｏ状態の何れか一方の状態に呼応してＯＮ制御することを特徴とする請求項２〜請求項３の少なくとも何れか１項に記載の内燃機関点火装置。
【請求項５】
前記第２スイッチ制御部は、前記パルス停止部においてパルス生成の停止制御がされると、前記第２スイッチ部をＯＦＦ制御することを特徴とする請求項３〜請求項４の少なくとも何れか一項に記載の内燃機関点火装置。
【請求項６】
前記第２スイッチ制御部は、前記パルス停止部においてパルス生成の停止制御がされていない間、前記パルス生成部で生成された前記パルスの反転周期に同期した信号を前記第２スイッチへ出力することを特徴とする請求項５記載の内燃機関点火装置。
【請求項７】
前記第1スイッチ部および前記第２スイッチ部は、前記パルスがＬｏ状態のときＯＮ制御しており、
前記第２スイッチ制御部は、前記パルス停止部から出力されるパルス停止の制御信号を反転出力するための第1インバータと、
前記第1インバータから出力される信号および前記パルス生成部で生成されるパルスを入力とする論理積と、
前記論理積から出力される信号を前記第２スイッチ部へ反転出力する第２インバータと、を有することを特徴とする請求項６記載の内燃機関の点火装置。
【発明の詳細な説明】
【技術分野】
【０００１】
本発明は、内燃機関の点火装置に関するものであり、コンデンサ充放電式と称される内燃機関の点火装置に関するものである。
【背景技術】
【０００２】
内燃機関点火装置は、一般的に（ＣＤＩ）と称されており、例えば特許文献１にその回路構成が開示されている。
【０００３】
特許文献１に開示された内燃機関点火装置は、予め昇圧された電圧をコンデンサに充電し、所定の点火タイミングによって前記コンデンサからの昇圧電圧を点火コイルの一次側に供給して、二次側に接続された点火プラグに放電を発生させるコンデンサ充放電式である。
【０００４】
このコンデンサ充放電式の内燃機関点火装置は、特許文献１の図１に示されているように、電源からの電圧が一次側に印加される昇圧コイルと、該昇圧コイルへの印加電圧をＯＮ／ＯＦＦ制御するスイッチと、昇圧コイルコイルの二次側にダイオードを介して接続されたコンデンサと、コンデンサからの昇圧電圧が一次側に供給される点火コイルと、該点火コイルの二次側に接続された点火プラグとを備えており、更に所定のタイミングでコンデンサの放電を行なうサイリスタおよびフライホイールダイオードを備えている。
【０００５】
前記したような構成の内燃機関点火装置は、電源からの電圧を昇圧コイルによって昇圧し、昇圧電圧をコンデンサに充電する。充電タイミングは所定周期のパルスに呼応しており、例えばパルスがＬｏ状態にあるとき、昇圧コイルと電源との間に接続されたスイッチをＯＮ制御し、昇圧コイルの一次側に電源からの電圧を供給し、２次側から出力される昇圧電圧でコンデンサへ充電する。コンデンサに充電された昇圧電圧は、所定の点火タイミングでサイリスタを制御することによって点火コイルの一次側に供給され、当該点火コイルの２次側に接続された点火プラグに放電を生じさせる。
【特許文献１】特開平５−２５６２３５号
【発明の開示】
【発明が解決しようとする課題】
【０００６】
ところで、従来の内燃機関点火装置は、前記したようにコンデンサへの充電を所定周期（パルス）に基づいて制御していることから、例えばパルスがＨｉ状態の時にはコンデンサが充電されるが、パルスがＬｏ状態にあるときにはコンデンサが充電されない。この充電されない期間によって、コンデンサへの充電に時間を要したり、また所定時間内で十分にコンデンサを充電することができないなどの問題が生じていた。
【０００７】
従って、本発明は上記した事情に鑑みてなされたものであり、本発明の目的は、コンデンサの充電を効率的に行なうことができる内燃機関点火装置を提供することにある。
【課題を解決するための手段】
【０００８】
本発明は、前記目的を達成するために創案されたものであり、所定の充電周期に基づいて電源からの電圧を予め昇圧してコンデンサに充電し、所定の点火タイミングによってコンデンサからの昇圧電圧を点火コイルの一次側に供給して、二次側に接続された点火プラグに放電を発生させる内燃機関点火装置において、電源からの電圧が一次側に印加され、二次側から前記昇圧電圧を前記コンデンサへ供給する第1昇圧コイルと、第1昇圧コイルと並列に接続されており、電源からの電圧が一次側に印加され、二次側から昇圧電圧をコンデンサへ供給する第２昇圧コイルと、第1昇圧コイルの一次側へ印加する電源からの電圧を、充電周期に基づいてＯＮ／ＯＦＦ制御する第1スイッチ部と、第２昇圧コイルの一次側へ印加する電源からの電圧を、ＯＮ／ＯＦＦ制御する第２スイッチ部と、充電周期の反転周期に基づいて第２のスイッチを制御する第２スイッチ制御部とを備えることを特徴とする。
【０００９】
充電周期はパルスでもって規定されており、当該パルスを生成するパルス生成部を備えることを特徴とする。
【００１０】
コンデンサの充電状態が閾値を超えると、パルス生成を停止せしめるパルス停止部を備えることを特徴とする。
【００１１】
第1スイッチ部および第２スイッチ部は、パルスのＨｉ状態又はＬｏ状態の何れか一方の状態に呼応してＯＮ制御することを特徴とする。
【００１２】
第２スイッチ制御部は、パルス停止部においてパルス生成の停止制御がされると、第２スイッチ部をＯＦＦ制御することを特徴とする。
【００１３】
第２スイッチ制御部は、パルス停止部においてパルス生成の停止制御がされていない間、パルス生成部で生成されたパルスの反転周期に同期した信号を第２スイッチへ出力することを特徴とする。
【００１４】
第1スイッチ部および第２スイッチ部は、パルスがＬｏ状態のときＯＮ制御しており、第２スイッチ制御部は、パルス停止部から出力されるパルス停止の制御信号を反転出力するための第1インバータと、第1インバータから出力される信号およびパルス生成部で生成されるパルスを入力とする論理積と、論理積から出力される信号を第２スイッチ部へ反転出力する第２インバータと、を有することを特徴とする。
【発明の効果】
【００１５】
本発明の内燃機関点火装置は、第1昇圧コイルと並列に接続された第２昇圧コイルと、一次側へ印加する電源からの電圧をＯＮ／ＯＦＦ制御する第２スイッチ部と、一次コイル充電周期の反転周期に基づいて第２スイッチ部を制御する第２スイッチ制御部とを備えることにより、所定の充電周期に基づいて電源からの電圧を第1昇圧コイルによって昇圧してコンデンサに充電すると共に、第1昇圧コイルによってコンデンサを充電していない間も、充電周期の反転周期に基づいて電源からの電圧を第２昇圧コイルによって昇圧してコンデンサを更に充電することができる。これにより、本発明の内燃機関点火装置は、コンデンサへの充電時間を短縮することができ、また所定時間内でコンデンサを十分に充電することができるようになり、もってコンデンサの充電効率を向上することができる。
【発明を実施するための最良の形態】
【００１６】
以下、図面を用いて、本発明の実施形態を詳細に説明するが、以下の説明では、実施の形態に用いる図面について同一の構成要素は同一の符号を付し、かつ重複する説明は可能な限り省略する。
【実施例１】
【００１７】
本発明の内燃機関点火装置１０は、図１に示すようにパルス生成部１と、パルス停止部２と、第１昇圧コイル３と、第1スイッチ部４と、第２昇圧コイル５と、第２スイッチ部６と、第２スイッチ制御部７と、コンデンサ（以降、他のコンデンサとの混同を防止すべく点火用コンデンサと称する）８と、サイリスタ９と、フライホイールダイオード１２と、放電制御部１３と、マイコン１４と、点火コイル１５と、点火プラグ１６とを備えている。
【００１８】
尚、本発明の内燃機関点火装置１０は、図示省略の電源から電源供給を受けて動作しており、該電源からの電流が抵抗１８を介して第２スイッチ制御部へ供給されている。
【００１９】
更に、本発明の内燃機関点火装置１０は、図１に示すように第1昇圧コイル３および点火用コンデンサ８間に接続されたダイオード１９と、第２昇圧コイル５および点火用コンデンサ８間に接続されたダイオード２１とを備える。これらのダイオード１９および２１は、点火用コンデンサ８の充電に供している。
【００２０】
内燃機関点火装置１０の点火用コンデンサ８の出力ノードは点火コイル１５に接続されており、該点火コイル１５は点火プラグ１６に接続されている。
また、点火用コンデンサ８の入力ノードはサイリスタ９のカソードに接続されており、該サイリスタ９と並列になるようにフライホイールダイオード１２のカソードが点火用コンデンサ８の出力ノード側に接続されており、サイリスタ９のアノードおよびフライホイールダイオード１２のアノードが共に接地電位に保たれている。
【００２１】
サイリスタ９のゲートは、放電制御部１３に接続されており、該放電制御部１３はマイコン１４からの信号に基づいて動作すべく、マイコン１４に接続されている。ところで、サイリスタ９および放電制御部１３の接続点およびサイリスタ９のアノード間には、サイリスタ９を通常ＯＦＦ制御するための抵抗１１が接続されている。
【００２２】
パルス停止部２は、点火用コンデンサ８における充電状態を監視すべく、点火用コンデンサ８に接続されている。パルス停止部２は、点火用コンデンサ８に対する充電が所定の閾値を超えた場合、第２スイッチ制御部７およびパルス生成部１に対し停止を指示する。
【００２３】
パルス生成部１は、図２に示すように、３連直列に接続されたインバータ２３、２４および２５と、２個の抵抗２１および２２と、１個のコンデンサ２６と、を備える。１番目のインバータ２３の入力側のノードには、抵抗２１の一端が接続されており、該抵抗２１の他端はコンデンサ２６を介して３番目のインバータ２５の入力側のノードに接続されている。また、２番目のインバータ２４の入力側のノードにも、別の抵抗２２の一端が接続されており、該抵抗２２の他端は前記抵抗２１とコンデンサ２６との接続点に接続されている。
【００２４】
コンデンサ２６は所定の静電容量を有しており、この静電容量に基づいて充放電の周期が定まる。これによりインバータによるコンデンサ２６への充放電の繰り返しによって、所定の間隔でＨｉ状態およびＬｏ状態を繰り返す充電周期のパルスが生成される。
【００２５】
尚、当該実施例のパルス生成部１が出力するパルスは、Ｌｏ状態のとき後述する第1スイッチ部４および第２スイッチ部６をＯＮ制御せしめるポジティブ状態を示し、またＨｉ状態のとき該各スイッチ部をＯＦＦ制御せしめるネガティブ状態を示す。
【００２６】
次に第1スイッチ部４および第２スイッチ部６を説明する。第1スイッチ部４および第２スイッチ部６は同じ構成であることから、第1スイッチ部４を例に詳細な説明を行ない、第２スイッチ部６の説明は割愛する。
【００２７】
第1スイッチ部４は、図３に示すように、２つのｎチャンネルＭＯＳＦＥＴ４１および４２と、ｎｐｎトランジスタ４３と、ｐｎｐトランジスタ４４と、複数の抵抗４５および４６と、によって構成されている。
【００２８】
パルス生成部１から出力されるパルスは、第１のＭＯＳＦＥＴ４１のゲートに入力する。この第１のＭＯＳＦＥＴ４１のドレインは電源に接続されており、ソースはｐｎｐトランジスタ４４のエミッタに接続されている。
【００２９】
当該ｐｎｐトランジスタ４４のベースは、ｎｐｎトランジスタ４３のベースに接続されており、その接続点が第1のＭＯＳＦＥＴ４１のドレインに接続されている。
【００３０】
ｐｎｐトランジスタ４４のコレクタおよびｎｐｎトランジスタ４３のエミッタは、それぞれ接続されており、これらの接続点が第２のＭＯＳＦＥＴ４２のゲートに接続されている。
【００３１】
第２のＭＯＳＦＥＴ４２は、ドレインが第１昇圧コイル３の１次側を介して電源に接続されており、ソースが第1のＭＯＳＦＥＴ４１のソース、ｐｎｐトランジスタ４４のエミッタに接続されており、これらが接地電位に保たれている。
【００３２】
次に、第1スイッチ部４の動作を説明する（図４参照）。
先ず、パルス生成部１からＨｉ状態のパルス（ネガティブ状態のパルス）が第1スイッチ部４に入力されたときの動作を説明する。
【００３３】
Ｈｉ状態のパルスをゲートに受けた第１のＭＯＳＦＥＴ４１はＯＮ制御し、ドレイン側がソース側の接地電位に引かれる。これにより、ｎｐｎトランジスタ４３のゲートとｐｎｐトランジスタ４４のゲートの接続ノードは、接地電位に低下する。従って、ｎｐｎトランジスタ４３は、ゲートへの入力がＬｏ状態となると、ソース・ドレイン間がＯＦＦ制御される。一方、ｐｎｐトランジスタ４４は、ゲートへの入力がＬｏ状態となると、ソース・ドレイン間がＯＮ制御される。
【００３４】
このｐｎｐトランジスタ４４のコレクタにゲートが接続されている第２のＭＯＳＦＥＴ４２は、ソース・ゲート間の寄生容量によりゲートがＬｏ状態となり、もってソース・ドレイン間がＯＦＦ制御される。これにより、ドレイン側に接続された第１昇圧コイル３の１次コイルへの電源供給は遮断され、該第１昇圧コイル３の２次側からの出力は停止する。
【００３５】
次に、パルス生成部１からＬｏ状態のパルス（ホジティブ状態のパルス）が第1スイッチ部４に入力されたときの動作を説明する（図５参照）。
Ｌｏ状態のパルスをゲートに受けた第１のＭＯＳＦＥＴ４１はＯＦＦ制御する。これにより、第１のＭＯＳＦＥＴ４１のドレイン・ソース間が遮断される。第１のＭＯＳＦＥＴ４１のドレイン側において接続するｎｐｎトランジスタ４３のベースには、第１のＭＯＳＦＥＴ４１のドレインに接続された電源からの電流が供給され、これによりｎｐｎトランジスタ４３がＯＮ制御する。
【００３６】
ところで第１のＭＯＳＦＥＴ４１のドレインに接続された電源からの電流は、ｎｐｎトランジスタ４３のゲートに接続されているｐｎｐトランジスタ４４のゲートにも供給されており、該ｐｎｐトランジスタ４４は、電源からの電流によってＯＦＦ制御する。
【００３７】
また、ｎｐｎトランジスタ４３のコレクタは電源に接続されており、前記したＯＮ制御によってコレクタ・エミッタ間に電流が流れ、その電流はｎｐｎトランジスタ４３のエミッタおよびｐｎｐトランジスタ４４のコレクタ間に接続された第２のＭＯＳＦＥＴ４２のゲートに供給される。これにより、第２のＭＯＳＦＥＴ４２のゲートがＯＮ制御され、ソース側に第１昇圧コイル３の１次側を介して接続された電源からの電流がソースからドレイン側に流れる。これにより、第１昇圧コイル３の１次コイルへ電源供給が行なわれ、該第１昇圧コイル３の２次側から昇圧された電圧が出力される。
【００３８】
放電制御部１３は、マイコン１４からの制御信号がベースに接続されたｎｐｎトランジスタと、該ｎｐｎトランジスタのコレクタがベースに接続されコレクタが第１昇圧コイル３の２次側に接続されエミッタがサイリスタ９のゲートに接続されたｐｎｐトランジスタとを備えており、当該構成によってサイリスタ９のゲート制御に必要な電圧を第１昇圧コイル３の２次側から取得し、この電圧をマイコン１４からの制御信号に基づいてサイリスタ９のゲートに印加する。
【００３９】
パルス停止部２は、図６に示すようにアノードが抵抗３１を介して点火用コンデンサ８に接続されたツェナダイオード３２と、該ツェナーダイオード３２のカソードがベースに接続されコレクタがパルス生成部１に接続されエミッタが接地電位に接続されているｎｐｎトランジスタ３３とを備えている。
【００４０】
パルス停止部２は、ツェナダイオード３２によって点火用コンデンサ８の電圧を監視すべく、ツェナダイオード３２の雪崩降伏電圧が点火用コンデンサ８の蓄積電荷によって決まる所定の電圧値以下になるように設定されており、点火用コンデンサ８が所定の電圧値以上になるとツェナダイオード３２に雪崩降伏を招き、該ツェナダイオード３２のカソードに接続されたｎｐｎトランジスタ３３のベースに電圧が印加され、該ｎｐｎトランジスタ３３がＯＮ制御する。
【００４１】
このＯＮ制御によりｎｐｎトランジスタ３３のコレクタがエミッタに接続された接地電位に引かれ、コレクタに接続されたパルス生成部１の入力がＬｏ状態に保持され続ける。これにより、パルス生成部１は、Ｈｉ状態が継続するパルスを出力し続ける。すなわち、パルス生成部１からネガティブ状態を示すパルスが出力され続け、これにより第1スイッチ部４は第１昇圧コイル３への電源供給が停止される。
【００４２】
以上述べたように、パルス停止部２は点火用コンデンサ８が所定の電圧以上になると、パルス生成部１によるポジティブなパルスの生成を停止し、第１昇圧コイル３への電源供給を停止する。
【００４３】
第２スイッチ制御部７は、図７に示すように、パルス停止部２のツェナダイオード３２のカソードおよびｎｐｎトランジスタ３３のベースの接続点に接続された第1のインバータ７１と、該第1のインバータ７１からの出力およびパルス生成部１からの出力が供給電源と共に入力される論理積７２と、該論理積からの出力を入力とし処理結果を第２スイッチ部６へ出力する第２のインバータ７３とを備える。
【００４４】
前記した構成の第２スイッチ制御部７は、パルス生成部１で生成されたパルスと、点火用コンデンサ８への充電停止の指示とに基づいて動作している。充電の停止は、パルス停止部２のツェナダイオード３２が雪崩降伏を招き、該ツェナダイオード３２とｎｐｎトランジスタ３３との接続点に接続されたラインから出力されるＨｉ状態の信号によって行なわれる。この信号はパルス停止部２の第1のインバータ７１へ入力され、該第1のインバータ７１によってＬｏ状態の信号が論理積７２へ出力される。
【００４５】
そして論理積７２はパルス生成部１からのパルス状態に関係無く、Ｌｏ状態の信号を第２のインバータ７３へ出力する。第２のインバータ７３はＬｏ状態の信号を受けると、これを反転処理してＨｉ状態の信号、すなわちネガティブ状態が継続する信号をパルスとして第２スイッチ部６へ出力する。
【００４６】
尚、第２スイッチ制御部７は、点火用コンデンサ８への充電停止の指示を受けていない間、すなわちツェナダイオード３２およびｎｐｎトランジスタ３３の接続点から導出するラインからＬｏ状態の信号を受けている間、パルス生成部１からのパルスを第２のインバータで反転した反転周期のパルスを第２スイッチ部６へ出力する。
【００４７】
以上述べたように、第２スイッチ制御部７は、パルス停止部２からパルス停止の指示を受けている間、第２スイッチ部６にＬｏ状態が継続したネガティブなパルスを出力し、パルス停止部２からパルス停止の指示を受けていない間、パルス生成部１から出力されるパルス（充電周期）を反転処理したパルス（反転周期）を第２スイッチ部６へ出力する。
【００４８】
＜動作＞
次に、本発明の内燃機関点火装置１０の全体的な動作を説明する。
パルス生成部１はＨｉ状態およびＬｏ状態を所定の充電周期で繰返すパルスを生成し、第1スイッチ部４および第２スイッチ制御部７へ出力する。
【００４９】
パルスを受けた第1スイッチ部４は、当該パルスの状態に応じてスイッチング制御を行なっており、パルスがＬｏ状態の時には第１昇圧コイル３の１次側へ電源を供給し、パルスがＨｉ状態の時には第１昇圧コイル３の１次側への電源供給を遮断する。
【００５０】
第１昇圧コイル３の１次側へ電源が供給されると、２次側において昇圧した電圧が誘起され、ダイオード１９を介して点火用コンデンサ８へ充電される。これにより、パルス生成部１からのパルスがＬｏ状態のとき、第1スイッチ部４は点火用コンデンサ８への充電を行なうべく、第１昇圧コイル３の１次側へ電源供給を行い、パルスがＨｉ状態のとき、点火用コンデンサ８への充電を停止すべく、第１昇圧コイル３の１次側への電源供給を遮断する。
【００５１】
ところで、パルス生成部１からのパルスを受ける第２スイッチ制御部７は、当該パルスの反転周期のパルスを生成し、これを第２スイッチ部６へ出力する。
【００５２】
尚、第２スイッチ部６は、反転周期のパルスに基づいて、前記した第1スイッチ部４と同様のスイッチング制御を行なう。第２スイッチ制御部７からのパルスがＬｏ状態のとき、第２スイッチ部６は点火用コンデンサ８への充電を行なうべく、第２昇圧コイル５の１次側へ電源供給を行う。一方、パルスがＨｉ状態のとき、第２スイッチ部６は点火用コンデンサ８への充電を停止すべく、第２昇圧コイル５の１次側への電源供給を遮断する。
【００５３】
尚、第２スイッチ部６は、パルス生成部１から出力されるパルスの反転周期に基づいてスイッチング制御を行なっており、第1スイッチ部４が点火用コンデンサ８への充電を停止するようにスイッチング制御を行なっている間は、点火用コンデンサ８への充電が行なわれるようにスイッチング制御を行い、第1スイッチ部４が点火用コンデンサ８への充電を行なうようにスイッチング制御を行なっている間は、点火用コンデンサ８への充電を停止するようにスイッチング制御を行なう。これにより、点火用コンデンサ８に対し、パルス生成部１で生成されるパルスの状態に左右されることなく、点火用コンデンサ８を常に充電することができる（図８参照）。
【００５４】
従って、本発明の内燃機関点火装置１０によれば、点火用コンデンサ８への充電時間を短縮することができ、また所定時間内で点火用コンデンサを十分に充電することができるようになり、もって点火用コンデンサ８の充電効率を向上することができる。
【００５５】
ところで、マイコン１４は、内燃機関の点火プラグの点火タイミングを管理しており、所定の点火タイミングになると、点火を放電制御部１３に対し指示する。
【００５６】
指示を受けた放電制御部１３は、第１昇圧コイル３で昇圧された電圧でもってサイリスタ９のサイリスタのゲートをＯＮ制御する。これにより、サイリスタ９のアノードに接続された点火用コンデンサ８の放電を招く。
【００５７】
点火用コンデンサ８の放電によって、フライホイールダイオード１２を介して点火コイル１５の１次側に昇圧電圧が印加され、二次側に接続された点火プラグによって放電が発生される。
【００５８】
ところで、パルス停止部２は、点火用コンデンサ８の過充電を監視している。すなわち点火用コンデンサ８は、点火用コンデンサ８が所定の電圧値以上になるとパルス生成部１にパルス生成の停止を指示する。
【００５９】
パルス生成の停止指示を受けたパルス生成部１は、Ｈｉ状態（ネガティブ状態）が持続する信号を生成し出力する。すなわちパルス生成部１は、Ｈｉ状態（ネガティブ状態）が持続する信号をパルス停止として出力する。
【００６０】
また、パルス停止部２は、点火用コンデンサ８が所定の電圧値以上になると第２スイッチ制御部７に対しても、ネガティブ状態のパルスを生成する指示を行なう。指示を受けた第２スイッチ制御部７は、当該指示を受けている間、パルス生成部１からのパルス状態に関係無く、Ｈｉ状態（ネガティブ状態）が持続するパルスを生成し、これを第２スイッチ部６へ出力する。
【００６１】
Ｈｉ状態（ネガティブ状態）が持続するパルスを受けた第２スイッチ部６は、第２昇圧コイル５への電源供給を遮断するようにスイッチング制御を行う。これにより、点火用コンデンサ８への充電が停止する。
【００６２】
以上述べたように、本発明の内燃機関点火装置１０によれば、所定の充電周期に基づいて第1スイッチ部４でスイッチング制御を行ない第１昇圧コイル３で昇圧した電圧でもって点火用コンデンサ８の充電制御を行なうと共に、第1スイッチ部４でスイッチング制御を行ない第１昇圧コイル３で昇圧した電圧でもって点火用コンデンサ８の充電制御が行なわれていない間にも、第２スイッチ制御部７で充電周期の反転周期を生成し、該反転周期に基づいて第２スイッチ部６でスイッチング制御を行い第２昇圧コイル５で昇圧した電圧でもって点火用コンデンサ８の充電制御を行なう。
【００６３】
これにより、本発明の内燃機関点火装置１０は、点火用コンデンサ８への過充電を防止すると共に、点火用コンデンサ８への充電時間を短縮することができ、また所定時間内で点火用コンデンサ８を十分に充電することができる。
【００６４】
更に、本発明の内燃機関点火装置１０は、パルス停止部２で点火用コンデンサ８の充電状態を監視していることにより、点火用コンデンサ８が過充電と判断されると、パルス停止部２はパルス生成部１および第２スイッチ制御部７に対し点火用コンデンサ８の充電を停止する指示を行なう。
【００６５】
これにより、本発明の内燃機関点火装置１０は、点火用コンデンサ８の過充電を抑えることから、点火用コンデンサ８への過充電による様々な不具合を未然に防止することができる。
【００６６】
これにより、本発明の内燃機関点火装置１０は、点火用コンデンサ８への過充電を防止すると共に、点火用コンデンサ８への充電時間を短縮することができ、また所定時間内で点火用コンデンサ８を十分に充電することができるようになり、もって点火用コンデンサ８の充電効率を向上することができる。
【図面の簡単な説明】
【００６７】
【図１】本発明の内燃機関点火装置の回路図である。
【図２】パルス生成部の回路図である。
【図３】第1スイッチ部の回路図である。
【図４】Ｈｉ状態のパルスが入力したときの第1スイッチ部４の動作状態を示す回路図である。
【図５】Ｌｏ状態のパルスが入力したときの第1スイッチ部４の動作状態を示す回路図である。
【図６】パルス停止部２の回路図である。
【図７】第２スイッチ制御部７の回路図である。
【図８】本発明の内燃機関点火装置における充電効率を従来と比較可能に示した模式図である。
【符号の説明】
【００６８】
１  パルス生成部
２  パルス停止部
３  第１昇圧コイル
４  第1スイッチ部
５  第２昇圧コイル
６  第２スイッチ部
７  第２スイッチ制御部
８  点火用コンデンサ
９  サイリスタ
１０  内燃機関点火装置
１１、２１、２２、３１、４５、４６  抵抗
１２  フライホイールダイオード
１３  放電制御部
１４  マイコン
１５  点火コイル
１６  点火プラグ
１７  コンデンサ
１８  抵抗
１９  ダイオード
２０  ダイオード
２３、２４、２５、７１、７３  インバータ
２６  コンデンサ
３２  ツェナーダイオード
３３、４３、  ｎｐｎトランジスタ
４１  第1のＭＯＳＦＥＴ
４２  第２のＭＯＳＦＥＴ
４４  ｐｎｐトランジスタ
７２  論理積
【図２】
2009013919.tif 000003
【図３】
2009013919.tif 000004
【図４】
2009013919.tif 000005
【図５】
2009013919.tif 000006
【図６】
2009013919.tif 000007
【図７】
2009013919.tif 000008
【図８】
2009013919.tif 000009
【図１】
2009013919.tif 000010